(57)【要約】【課題】電気光学パネルの周りに設けたフレームの枠部を利用して電気光学パネルで発生した熱を効率よく逃がすことのできる電気光学モジュール、および当該電気光学モジュールを備えた電子機器を提供すること。【解決手段】電気光学モジュール１０において、フレーム６０の枠部６１には第１溝６１ｃが形成されており、かかる第１溝６１ｃの開口部６１ｄには第２板状カバー７０が被さって、両端が開放状態にある中空の第１通気路１９１が区画されている。また、フレーム６０の枠部６２には第２溝６２ｃが形成されており、かかる第２溝６２ｃの開口部６２ｄには第２板状カバー７０が被さって、両端が開放状態にある中空の第２通気路１９２が区画されている。第２板状カバー７０は、フレーム６０と係合する係合板部７５を備えている。【選択図】図８
2013104991.tif 000002
【特許請求の範囲】
【請求項１】
画像表示領域を備えた電気光学パネルと、
前記電気光学パネルの第１側面に沿って延在する第１枠部に該第１枠部の延在方向に延在する第１溝が形成されたフレームと、
前記電気光学パネルの一方面側に配置された端板部、および該端板部の側から延在してフレームと係合する係合板部を備え、前記第１溝の開口部に被さって当該第１溝とともに、前記第１枠部の延在方向の両側が開放端になっている中空の第１通気路を区画する板状カバーと、
を有していることを特徴とする電気光学モジュール。
【請求項２】
前記フレームにおいて、前記電気光学パネルの前記第１側面と対向する第２側面に沿って延在する第２枠部に該第２枠部の延在方向に延在する第２溝が形成されており、
前記板状カバーは、前記第２溝の開口部に被さって当該第２溝とともに、前記第２枠部の延在方向の両側が開放端になっている中空の第２通気路を区画していることを特徴とする請求項１に記載の電気光学モジュール。
【請求項３】
前記板状カバーは、前記第１溝の前記開口部および前記第２溝の前記開口部を塞いでいることを特徴とする請求項２に記載の電気光学モジュール。
【請求項４】
前記第１溝および前記第２溝は、前記第１枠部および前記第２枠部の前記電気光学パネルの前記一方面側または他方面側に位置する面で開口していることを特徴とする請求項２または３に記載の電気光学モジュール。
【請求項５】
前記第１溝および前記第２溝は、前記第１枠部および前記第２枠部の前記電気光学パネルとは反対側に位置する外面で開口していることを特徴とする請求項２または３に記載の電気光学モジュール。
【請求項６】
前記端板部は、前記画像表示領域に対する見切り部を構成していることを特徴とする請求項２乃至５の何れか一項に記載の電気光学モジュール。
【請求項７】
前記フレームの前記第１通気路および前記第２通気路の延在方向の一方側で前記板状カバーと対向する領域には、前記第１通気路の開口幅および前記第２通気路の開口幅を当該一方側に向かうに伴って拡大させる方向に傾いた導風用の斜面壁が形成されていることを特徴とする請求項２乃至６の何れか一項に記載の電気光学モジュール。
【請求項８】
前記フレームの前記第１通気路および前記第２通気路の延在方向の一方側および他方側のうちの少なくとも一方の領域には、前記第１通気路の延長線上および前記第２通気路の延長線上を避けた位置にネジ止め用の穴が形成された柱状部が設けられていることを特徴とする請求項２乃至７の何れか一項に記載の電気光学モジュール。
【請求項９】
前記電気光学パネルは、第１基板と、該第１基板に対して前記一方面側で対向配置された第２基板と、前記第１基板と前記第２基板との間に設けられた電気光学物質層と、を備えていることを特徴とする請求項１乃至８の何れか一項に記載の電気光学モジュール。
【請求項１０】
前記電気光学パネルは、前記電気光学物質層としての液晶層を備えた液晶パネルであることを特徴とする請求項８または９に記載の電気光学モジュール。
【請求項１１】
請求項１乃至１０の何れか一項に記載の電気光学モジュールを備えた電子機器であって、
前記電気光学モジュールに供給される光を出射する光源部と、
前記電気光学モジュールによって変調された光を投射する投射光学系と、
を有していることを特徴とする電子機器。
【発明の詳細な説明】
【技術分野】
【０００１】
本発明は、投射型表示装置等の電子機器に用いられる電気光学モジュール、および該電気光学モジュールを備えた電子機器に関するものである。
【背景技術】
【０００２】
投射型表示装置等の電子機器において画像を表示する際には、液晶パネル等の電気光学パネルによって変調した光を利用する。電気光学パネルは、透光性の第１基板と透光性の第２基板との間に電気光学物質層が設けられた構成を有しており、フレーム等の筐体に接着剤によって固定された状態で用いられる。かかる電気光学パネルに対して光源光を出射すると、電気光学パネルが温度上昇し、表示品位が低下する。そこで、筐体として、ポリカーボネート樹脂等の樹脂体の表面に金属膜を形成した枠体を用い、接着剤として高熱伝導性モールド樹脂を用いた構造が提案されている（特許文献１参照）。
【０００３】
また、液晶パネルを板状のプレートと板状のカバーとの間に挟んだ構成の電気光学装置において、液晶パネルが内側に配置されるプレートを部分的に折り曲げて一対の側板部を形成する際、側板部の間隔を広く設定し、プレート、カバーおよび液晶パネルにより区画された中空の冷却風導通部に冷却空気を通過させて液晶パネルを冷却する構造が提案されている（特許文献２参照）。
【先行技術文献】
【特許文献】
【０００４】
【特許文献１】特開２００５−１９６０２７号公報
【特許文献２】特開２００４−３２５５７５号公報
【発明の概要】
【発明が解決しようとする課題】
【０００５】
しかしながら、特許文献１に記載の構成のように、液晶パネルを枠体に固定するための接着剤として高熱伝導性モールド樹脂を用いた場合でも、高熱伝導性モールド樹脂の熱伝導率は金属等に比して低いため、液晶パネルで発生した熱を効率よく逃がすことができないという問題点がある。また、樹脂体の表面に金属膜を形成した枠体では、枠体の熱伝導率が低いため、液晶パネルで発生した熱を効率よく逃がすことができないという問題点がある。
【０００６】
一方、特許文献２に記載の構成のように、プレートの側板部の間隔を広く設定して側板部と液晶パネルの側面とに挟まれた空間を冷却風導通部として利用した構成では、プレートに液晶パネルの側面を位置決めする部分や液晶パネルを支持する部分を設けることができない等、筐体としての機能に欠けるという問題点がある。
【０００７】
以上の問題点に鑑みて、本発明の課題は、電気光学パネルの周りに設けたフレームの枠部を利用して電気光学パネルで発生した熱を効率よく逃がすことのできる電気光学モジュール、および当該電気光学モジュールを備えた電子機器を提供することにある。
【課題を解決するための手段】
【０００８】
上記課題を解決するために、本発明に係る電気光学モジュールは、画像表示領域を備えた電気光学パネルと、前記電気光学パネルの第１側面に沿って延在する第１枠部に該第１枠部の延在方向に延在する第１溝が形成されたフレームと、前記電気光学パネルの一方面側に配置された端板部、および該端板部の側から延在してフレームと係合する係合板部を備え、前記第１溝の開口部に被さって当該第１溝とともに、前記第１枠部の延在方向の両側が開放端になっている中空の第１通気路を区画する板状カバーと、を有していることを特徴とする。
【０００９】
本発明では、フレームにおいて電気光学パネルの第１側面に沿って延在する第１枠部には第１溝が形成されており、かかる第１溝の開口部に第１板状カバーが被さって中空の第１通気路が区画されている。このため、電気光学モジュールに供給された冷却空気は、電気光学モジュール内の第１通気路を通る際、電気光学パネルで発生した熱を受け取り、電気光学モジュールの外部に逃がす。従って、電気光学パネルの側面を支持するフレームの枠部を利用して電気光学パネルで発生した熱を効率よく逃がすことができる。また、板状カバーは、フレームと係合する係合板部を備えているため、係合板部を利用して、フレームと板状カバーとを結合させるだけで、板状カバーが第１溝の開口部に被さって第１通気路が区画されるので、第１通気路を備えた電気光学モジュールを効率よく組み立てることができる。
【００１０】
本発明では、前記フレームにおいて、前記電気光学パネルの前記第１側面と対向する第２側面に沿って延在する第２枠部に該第２枠部の延在方向に延在する第２溝が形成されており、前記板状カバーは、前記第２溝の開口部に被さって当該第２溝とともに、前記第２枠部の延在方向の両側が開放端になっている中空の第２通気路を区画していることが好ましい。かかる構成によれば、電気光学モジュールに供給された冷却空気は、電気光学モジュール内の第２通気路を通るので、電気光学パネルを効率よく冷却することができる。
【００１１】
本発明において、前記板状カバーは、前記第１溝の開口部および前記第２溝の開口部を塞いでいることが好ましい。このように構成すると、第１通気路および第２通気路からの冷却空気の漏れを防止することができるので、電気光学パネルを効率よく冷却することができる。
【００１２】
本発明において、前記第１溝および前記第２溝は、前記第１枠部および前記第２枠部の前記電気光学パネルの前記一方面側または他方面側に位置する面で開口している構成を採用することができる。
【００１３】
本発明において、前記第１溝および前記第２溝は、前記第１枠部および前記第２枠部の前記電気光学パネルとは反対側に位置する外面で開口している構成を採用してもよい。
【００１４】
本発明において、前記端板部は、前記画像表示領域に対する見切り部を構成していることが好ましい。かかる構成によれば、見切り部材を別途設ける必要がないという利点がある。
【００１５】
本発明において、前記フレームの前記第１通気路および前記第２通気路の延在方向の一方側で前記板状カバーと対向する領域には、前記第１通気路の開口幅および前記第２通気路の開口幅を当該一方側に向かうに伴って拡大させる方向に傾いた導風用の斜面壁が形成されていることが好ましい。かかる構成によれば、電気光学モジュールに対して一方側から冷却空気は、斜面壁に案内されて第１通気路および第２通気路に効率よく流入する。このため、第１通気路内および第２通気路内における冷却空気の流速が高いので、電気光学パネルを効率よく冷却することができる。
【００１６】
本発明において、前記フレームの前記第１通気路および前記第２通気路の延在方向の一方側および他方側のうちの少なくとも一方の領域には、前記第１通気路の延長線上および前記第２通気路の延長線上を避けた位置にネジ止め用の穴が形成された柱状部が設けられていることが好ましい。かかる構成によれば、フレームに柱状部が設けられている場合でも、通気路内への冷却空気の流入や、通気路内からの冷却空気の流出の際、冷却空気の流速が柱状部によって低下することを防止することができる。それ故、電気光学パネルを効率よく冷却することができる。
【００１７】
本発明において、前記電気光学パネルは、第１基板と、該第１基板に対して前記一方面側で対向配置された第２基板と、前記第１基板と前記第２基板との間に設けられた電気光学物質層と、を備えている構成を採用することができる。
【００１８】
本発明において、前記電気光学パネルは、前記電気光学物質層としての液晶層を備えた液晶パネルである構成を採用することができる。
【００１９】
本発明に係る電気光学モジュールは各種電子機器に用いることができる。また、電子機器として投射型表示装置を構成した場合、電子機器は、前記電気光学モジュールに供給される光を出射する光源部と、前記電気光学モジュールによって変調された光を投射する投射光学系と、を有している。
【図面の簡単な説明】
【００２０】
【図１】本発明を適用した電子機器の一例としての投射型表示装置の説明図である。
【図２】本発明を適用した投射型表示装置に用いた光学ユニットの構成を示す説明図である。
【図３】本発明を適用した投射型表示装置に用いた光学ユニットの詳細構成を示す説明図である。
【図４】本発明を適用した電気光学モジュールに用いた電気光学パネルの説明図である。
【図５】本発明の実施の形態１に係る電気光学モジュールを光出射側からみたときの斜視図である。
【図６】図５に示す電気光学モジュールの説明図である。
【図７】図５に示す電気光学モジュールを分解した様子を光出射側からみたときの分解斜視図である。
【図８】図５に示す電気光学モジュールの断面構成を拡大して示す説明図である。
【図９】図５に示す電気光学モジュールの端部を拡大して示す説明図である。
【図１０】本発明の実施の形態２に係る電気光学モジュールの端部を拡大して示す説明図である。
【図１１】本発明の実施の形態３に係る電気光学モジュールを分解した様子を光出射側からみたときの分解斜視図である。
【図１２】本発明の実施の形態３に係る電気光学モジュールの端部を拡大して示す説明図である。
【図１３】本発明の実施の形態４に係る電気光学モジュールの端部を拡大して示す説明図である。
【図１４】本発明の実施の形態５に係る電気光学モジュールの説明図である。
【図１５】本発明の実施の形態６に係る電気光学モジュールの平面図である。
【図１６】本発明の実施の形態７に係る電気光学モジュールの端部を拡大して示す説明図である。
【図１７】本発明の実施の形態８に係る電気光学モジュールの端部を拡大して示す説明図である。
【発明を実施するための形態】
【００２１】
図面を参照して、本発明の実施の形態を説明する。なお、以下の説明では、本発明を適用した電子機器として、透過型の電気光学パネル（透過型の液晶パネル）を備えた電気光学モジュールをライトバルブとして用いた投射型表示装置を説明する。また、以下の説明で参照する図においては、各層や各部材を図面上で認識可能な程度の大きさとするため、各層や各部材毎に縮尺を異ならしめてある。
【００２２】
［実施の形態１］
（投射型表示装置（電子機器）の構成）
図１は、本発明を適用した電子機器の一例としての投射型表示装置の説明図であり、図１（ａ）、（ｂ）は、投射型表示装置の主要部分の平面的な構成を示す説明図、および主要部分を側方からみたときの説明図である。図２は、本発明を適用した投射型表示装置に用いた光学ユニットの構成を示す説明図である。
【００２３】
図１に示す投射型表示装置１において、外装ケース２の内部には、その後端側に電源ユニット７が配置され、電源ユニット７に装置前側で隣り合う位置に光源ランプユニット８（光源部）および光学ユニット９が配置されている。また、外装ケース２の内部には、光学ユニット９の前側の中央に投射レンズユニット６の基端側が位置している。光学ユニット９の一方の側には、入出力インターフェース回路が搭載されたインターフェース基板１１が装置前後方向に向けて配置され、インターフェース基板１１に平行に、ビデオ信号処理回路が搭載されたビデオ基板１２が配置されている。光源ランプユニット８および光学ユニット９の上側には装置駆動制御用の制御基板１３が配置され、装置前端側の左右の角の各々にはスピーカー１４Ｒ、１４Ｌが配置されている。
【００２４】
光学ユニット９の上方および下方には装置内部冷却用の吸気ファン１５Ａ、１５Ｂが配置されている。また、光源ランプユニット８の裏面側である装置側面には排気ファン１６が配置されている。さらに、インターフェース基板１１およびビデオ基板１２の端に面する位置には、吸気ファン１５Ａからの冷却用空気流を電源ユニット７内に吸引するための補助冷却ファン１７が配置されている。これらのファンのうち、吸気ファン１５Ｂは、主に後述する液晶パネルの冷却用ファンとして機能している。
【００２５】
図２において、光学ユニット９を構成する各光学素子（要素）は、色光合成手段を構成しているプリズムユニット２０を含めて、ＭｇやＡｌ等の金属からなる上ライトガイド２１または下ライトガイド２２により支持されている。上ライトガイド２１および下ライトガイド２２は、アッパーケース３およびロアーケース４に固定ねじにより固定されている。
【００２６】
（光学ユニット９の詳細構成）
図３は、本発明を適用した投射型表示装置に用いた光学ユニットの詳細構成を示す説明図である。図３に示すように、光学ユニット９は、光源ランプ８０５と、均一照明光学素子であるインテグレーターレンズ９２１、９２２を有する照明光学系９２３と、この照明光学系９２３から出射される光束Ｗを、赤、緑、青の各光束Ｒ、Ｇ、Ｂに分離する色光分離光学系９２４とを有している。また、光学ユニット９は、各色光束を変調する電気光学パネル（ライトバルブ）としての３枚の透過型の電気光学パネル４０（Ｒ）、４０（Ｇ）、４０（Ｂ）と、変調された色光束を合成する色光合成光学系としてのプリズムユニット２０と、合成された光束を投射面上に拡大投射する投射レンズユニット６とを有している。また、色光分離光学系９２４によって分離された各色光束のうち、青色光束Ｂを対応する電気光学パネル４０（Ｂ）に導くリレー光学系９２７を備えている。照明光学系９２３は、さらに、反射ミラー９３１を備えており、光源ランプ８０５からの出射光の光軸１ａを装置前方向に向けて直角に折り曲げるようにしている。この反射ミラー９３１を挟み、インテグレーターレンズ９２１、９２２が前後に直交する状態に配置されている。
【００２７】
色光分離光学系９２４は、青緑反射ダイクロイックミラー９４１と、緑反射ダイクロイックミラー９４２と、反射ミラー９４３から構成される。まず、青緑反射ダイクロイックミラー９４１において、照明光学系９２３を通った光束Ｗのうち、そこに含まれている青色光束Ｂおよび緑色光束Ｇが直角に反射されて、緑反射ダイクロイックミラー９４２の側に向かう。赤色光束Ｒは、この青緑反射ダイクロイックミラー９４１を通過して、後方の反射ミラー９４３で直角に反射されて、赤色光束の出射部９４４から色光合成光学系の側に出射される。次に、緑反射ダイクロイックミラー９４２において、青緑反射ダイクロイックミラー９４１において反射された青および緑の光束Ｂ、Ｇのうち、緑色光束Ｇのみが直角に反射されて、緑色光束の出射部９４５から色光合成光学系の側に出射される。緑反射ダイクロイックミラー９４２を通過した青色光束Ｂは、青色光束の出射部９４６からリレー光学系９２７の側に出射される。本形態では、照明光学系９２３の光束の出射部から色光分離光学系９２４における各色光束の出射部９４４、９４５、９４６までの距離が、全てほぼ等しくなるように設定されている。
【００２８】
色光分離光学系９２４の赤色光束および緑色光束の出射部９４４、９４５の出射側には、それぞれ集光レンズ９５１、９５２が配置されている。したがって、各出射部から出射した赤色光束および緑色光束は、これらの集光レンズ９５１、９５２に入射して平行化される。
【００２９】
平行化された赤色および緑色の光束Ｒ、Ｇは、偏光板１６０（Ｒ）、１６０（Ｇ）によって偏光方向が揃えられた後、電気光学パネル４０（Ｒ）、４０（Ｇ）に入射して変調され、各色光に対応した画像情報が付加される。すなわち、これらの電気光学パネル４０（Ｒ）、４０（Ｇ）は、図示していない駆動手段によって画像情報に対応する画像信号によってスイッチング制御され、これにより、ここを通過する各色光の変調が行われる。このような駆動手段は、公知の手段をそのまま使用することができる。
【００３０】
一方、青色光束Ｂは、リレー光学系９２７を介し、さらに、偏光板１６０（Ｂ）によって偏光方向が揃えられた後、対応する電気光学パネル４０（Ｂ）に導かれて、ここにおいて、同様に画像情報に応じて変調が施される。リレー光学系９２７は、集光レンズ９７４と入射側反射ミラー９７１と、出射側反射ミラー９７２と、これらのミラー間に配置した中間レンズ９７３と、電気光学パネル４０（Ｂ）の手前側に配置した集光レンズ９５３から構成される。各色光束の光路の長さ、すなわち、光源ランプ８０５から各液晶パネルまでの距離は、青色光束Ｂが最も長くなり、従って、この光束の光量損失が最も多くなる。しかし、リレー光学系９２７を介在させることにより、光量損失を抑制できる。
【００３１】
各電気光学パネル４０（Ｒ）、４０（Ｇ）、４０（Ｂ）を通って変調された各色光束は、偏光板１６１（Ｒ）、１６１（Ｇ）、１６１（Ｂ）に入射し、これを透過した光がプリズムユニット２０（クロスダイクロイックプリズム）に入射して合成される。ここで合成されたカラー画像は、投射レンズ系を備えた投射レンズユニット６を介して、所定の位置にあるスクリーン等の被投射面１ｂ上に拡大投射される。
【００３２】
（電気光学パネル４０の構成）
図４は、本発明を適用した電気光学モジュールに用いた電気光学パネル４０の説明図であり、図４（ａ）、（ｂ）は各々、電気光学パネル４０を各構成要素とともに第２基板（対向基板）の側から見た平面図、およびそのＨ−Ｈ′断面図である。
【００３３】
なお、図４および後述する図５〜図９等において、光源光の進行方向については矢印Ｌ１１で示し、電気光学パネル４０によって光源光を変調した後の表示光の進行方向については矢印Ｌ１２で示し、図１に示す吸気ファン１５Ｂ等によって電気光学パネル４０に供給される冷却空気の流れについては矢印Ａで示してある。また、以下の説明では、電気光学パネル４０および電気光学モジュールの面内方向で互いに交差する２方向のうちの一方をＸ軸方向とし、他方をＹ軸方向とし、Ｘ軸方向およびＹ軸方向に交差する方向をＺ軸方向とする。また、以下に参照する図面では、Ｘ軸方向の一方側（フレキシブル配線基板４０ｉが設けられている側）をＸ１側とし、他方側をＸ２側とし、Ｙ軸方向の一方側をＹ１側とし、他方側をＹ２側とし、Ｚ軸方向の一方側（光源光が入射する側）をＺ１側とし、これと他方側（表示光が出射される側）をＺ２側として表してある。
【００３４】
図１〜図３を参照して説明した投射型表示装置１において、光学ユニット９に電気光学パネル４０（Ｒ）、４０（Ｇ）、４０（Ｂ）を搭載するにあたっては、電気光学パネル４０（Ｒ）、４０（Ｇ）、４０（Ｂ）を各々、後述する電気光学モジュール１０（Ｒ）、１０（Ｇ）、１０（Ｂ）として搭載する。ここで、電気光学パネル４０（Ｒ）、４０（Ｇ）、４０（Ｂ）は同一の構成を有しており、電気光学パネル４０（Ｒ）、４０（Ｇ）、４０（Ｂ）を備えた電気光学モジュール１０（Ｒ）、１０（Ｇ）、１０（Ｂ）も赤色用（Ｒ）、緑色用（Ｇ）、青色用（Ｂ）で同一の構成を有している。従って、以下の説明では、電気光学パネル４０（Ｒ）、４０（Ｇ）、４０（Ｂ）および電気光学モジュール１０（Ｒ）、１０（Ｇ）、１０（Ｂ）等については、対応する色を示す（Ｒ）（Ｇ）（Ｂ）を付さずに説明する。
【００３５】
図４に示すように、電気光学パネル４０では、透光性の第１基板５１（素子基板）と透光性の第２基板５２（対向基板）とが所定の隙間を介してシール材４０７によって貼り合わされている。第１基板５１および第２基板５２は石英ガラスや耐熱ガラス等が用いられており、本形態において、第１基板５１および第２基板５２には石英ガラスが用いられている。本形態において、電気光学パネル４０は液晶パネルであり、第１基板５１と第２基板５２との間においてシール材４０７によって囲まれた領域内に電気光学物質層４５０としての液晶層が保持されている。シール材４０７は、第２基板５２の外縁に沿うように枠状に設けられている。シール材４０７は、光硬化性を備えた接着剤、熱硬化性の接着剤、あるいは光硬化性および熱硬化性の双方を備えた接着剤であり、両基板間の距離を所定値とするためのグラスファイバー、あるいはガラスビーズ等のギャップ材が配合されている。
【００３６】
本形態において、第１基板５１は四角形であり、４つの辺の各々に側面５１１、５１２、５１３、５１４を備えている。第２基板５２も、第１基板５１と同様、四角形であり、４つの辺の各々に側面５２１、５２２、５２３、５２４を備えている。このため、電気光学パネル４０の側面は、第１基板５１の側面５１１、５１２、５１３、５１４、および第２基板５２の側面５２１、５２２、５２３、５２４により構成されている。
【００３７】
本形態において、第１基板５１は第２基板５２よりサイズが大きく、第１基板５１の４つの側面５１１、５１２、５１３、５１４は各々、第２基板５２の側面５２１、５２２、５２３、５２４より外側に位置する。このため、第２基板５２の周りには、第１基板５１と第２基板５２の側面５２１、５２２、５２３、５２４とによって段部４０ｓ、４０ｔ、４０ｕ、４０ｖが形成され、かかる段部４０ｓ、４０ｔ、４０ｕ、４０ｖでは、第１基板５１が第２基板５２から露出した状態にある。
【００３８】
かかる構成の電気光学パネル４０において、電気光学パネル４０の側面は、第１基板５１の側面５１１、５１２、５１３、５１４に相当し、本発明における「電気光学パネル４０の第１側面」は「第１基板５１の側面５１１」に相当し、「電気光学パネル４０の第２側面」は「第１基板５１の側面５１２」に相当する。
【００３９】
電気光学パネル４０の略中央には、変調光を出射する画像表示領域４０ａが四角形の領域として設けられている。かかる形状に対応して、シール材４０７も略四角形に設けられている。また、電気光学パネル４０では、画像表示領域４０ａの端部と電気光学パネル４０の側面（第１基板５１の側面５１１、５１２、５１３、５１４）との間には、四角枠状の周辺領域４０ｃが設けられている。
【００４０】
第１基板５１は、側面５１４が位置する側の端部（Ｙ軸方向の一方側Ｙ１の端部）が他の端部より第２基板５２の側面５２４から大きく張り出しており、第１基板５１には、側面５１４に沿ってデータ線駆動回路４０１および複数の端子４０２が形成されている。また、第１基板５１には、側面５１１、５１２に沿って走査線駆動回路４０４が形成されている。端子４０２には、フレキシブル配線基板４０ｉが接続されており、第１基板５１には、フレキシブル配線基板４０ｉを介して各種電位や各種信号が入力される。なお、第１基板５１では、側面５１４とフレキシブル配線基板４０ｉとに跨るように補強用の接着剤４１が塗布されている。
【００４１】
第１基板５１の第１面５１ａおよび第２面５１ｂのうち、第２基板５２と対向する第１面５１ａには、画像表示領域４０ａに、透光性の画素電極４０５ａおよび画素電極４０５ａに対応する画素トランジスター（スイッチング素子／図示せず）を備えた画素がマトリクス状に形成されており、かかる画素電極４０５ａの上層側には配向膜４１６が形成されている。また、第１基板５１の第１面５１ａにおいて、周辺領域４０ｃのうち、シール材４０７より内側の領域には、画素電極４０５ａと同時形成されたダミー画素電極４０５ｂが形成されている。ダミー画素電極４０５ｂについては、ダミーの画素トランジスターと電気的に接続された構成、ダミーの画素トランジスターが設けられずに配線に直接、電気的に接続された構成、あるいは電位が印加されていないフロート状態にある構成が採用される。
【００４２】
第２基板５２の第１面５２ａおよび第２面５２ｂのうち、第１基板５１と対向する第１面５２ａには透光性の共通電極４２１が形成されており、共通電極４２１の上層には配向膜４２６が形成されている。共通電極４２１は、第２基板５２の略全面あるいは複数の帯状電極として複数の画素に跨って形成されており、本形態において、共通電極４２１は、第２基板５２の略全面に形成されている。また、第２基板５２の第１面５２ａには、共通電極４２１の下層側に遮光層４０８が形成されている。本形態において、遮光層４０８は、画像表示領域４０ａの外周縁に沿って延在する額縁状に形成されており、かかる遮光層４０８の内縁によって画像表示領域４０ａが規定されている。遮光層４０８の外周縁は、シール材４０７の内周縁との間に隙間を隔てた位置にあり、遮光層４０８とシール材４０７とは被さっていない。また、第２基板５２において、隣り合う画素電極４０５ａにより挟まれた領域と重なる領域等には、遮光層４０８と同時形成された遮光層がブラックマトリクスあるいはブラックストライプとして形成されることもある。
【００４３】
第１基板５１には、シール材４０７より外側において第２基板５２の角部分と重なる領域に、第１基板５１と第２基板５２との間で電気的導通をとるための基板間導通用電極４０９が形成されている。基板間導通用電極４０９と第２基板５２との間には、導電粒子を含んだ基板間導通材４０９ａが配置されており、第２基板５２の共通電極４２１は、基板間導通材４０９ａおよび基板間導通用電極４０９を介して、第１基板５１側に電気的に接続されている。このため、共通電極４２１は、第１基板５１の側から共通電位が印加されている。シール材４０７は、略同一の幅寸法をもって第２基板５２の外周縁に沿って設けられている。但し、シール材４０７は、第２基板５２の角部分と重なる領域では基板間導通用電極４０９を避けて内側を通るように設けられている。
【００４４】
かかる構成の電気光学パネル４０において、本形態では、画素電極４０５ａおよび共通電極４２１がＩＴＯ膜等の透光性導電膜により形成されているため、電気光学パネル４０は透過型の液晶パネルである。かかる透過型の液晶パネル（電気光学パネル４０）の場合、第１基板５１および第２基板５２のうち、一方側の基板から入射した光が他方側の基板を透過して出射される間に変調される。本形態では、第２基板５２から入射した光（矢印Ｌ１１で示す）が第１基板５１を透過して変調光（矢印Ｌ１２で示す）として出射される構成になっている。このため、第２基板５２はＺ軸方向の一方側Ｚ１（光源光の入射側）に配置され、第１基板５１はＺ軸方向の他方側Ｚ２（表示光の出射側）に配置されている。本形態の電気光学パネル４０は、前記した投射型表示装置（液晶プロジェクター）において、ライトバルブとして用いられるため、カラーフィルターは形成されない。但し、電気光学パネル４０を、モバイルコンピューター、携帯電話機等といった電子機器の直視型のカラー表示装置として用いる場合、第２基板５２には、カラーフィルターが形成される。
【００４５】
（電気光学モジュール１０の全体構成）
図５は、本発明の実施の形態１に係る電気光学モジュールを光出射側からみたときの斜視図である。図６は、図５に示す電気光学モジュールの説明図であり、図６（ａ）、（ｂ）、（ｃ）、（ｄ）は、電気光学モジュールを光出射側からみたときの平面図、Ｙａ−Ｙａ′断面図、Ｘａ−Ｘａ′断面図、および光入射側からみたときの底面図である。図７は、図５に示す電気光学モジュールを分解した様子を光出射側からみたときの分解斜視図である。図８は、図５に示す電気光学モジュールの断面構成を拡大して示す説明図であり、図８（ａ）、（ｂ）は、Ｙａ−Ｙａ′断面図を拡大して示す説明図、およびＸａ−Ｘａ′断面図を拡大して示す説明図である。図９は、図５に示す電気光学モジュールの端部を拡大して示す説明図であり、図８に示すＸａ−Ｘａ′断面におけるＸａ′側の端部を拡大して示す説明である。
【００４６】
図４を参照して説明した電気光学パネル４０を、図１〜図３を参照して説明した投射型表示装置１および光学ユニット９に搭載するにあたっては、図５〜図８に示すように、補強等を目的に電気光学パネル４０をフレーム６０により支持した電気光学モジュール１０とする。また、本形態の電気光学モジュール１０では、電気光学パネル４０およびフレーム６０に加えて、第１板状カバー８０や第２板状カバー７０が用いられている。以下、図８を中心に参照して、電気光学モジュール１０の詳細構成を説明する。また、以下に説明する形態は、フレーム６０と第２板状カバー７０とによって第１通気路１９１および第２通気路１９２を形成した構成例である。
【００４７】
（第１透光板５６および第２透光板５７の構成）
図８等に示すように、本形態では、電気光学パネル４０を用いて電気光学モジュール１０を構成するにあたって、第１基板５１の第２面５１ｂ（外面／第１基板５１の第２基板５２と反対側の面）に第１透光板５６が接着剤等により貼付され、第２基板５２の第２面５２ｂ（外面／第２基板５２の第１基板５１と反対側の面）に第２透光板５７が接着剤等により貼付されている。第１透光板５６および第２透光板５７は各々、防塵ガラスとして構成されており、塵等が第１基板５１の外面（第２面５１ｂ）および第２基板５２の外面（第２面５２ｂ）に付着するのを防止する。このため、電気光学パネル４０に塵が付着したとしても、塵は電気光学物質層４５０から離間している。従って、図１等を参照して説明した投射型表示装置１から投射された画像に塵が像として写し出されることを抑制することができる。第１透光板５６および第２透光板５７には石英ガラスや耐熱ガラス等が用いられており、本形態において、第１透光板５６および第２透光板５７には、第１基板５１および第２基板５２と同様、石英ガラスが用いられており、その厚さは１．１〜１．２ｍｍである。
【００４８】
ここで、第１透光板５６は、第１基板５１の第２面５１ｂの一部を露出させた状態で電気光学パネル４０の少なくとも画像表示領域４０ａに重なるように設けられている。より具体的には、第１透光板５６は、第１基板５１よりサイズが小さい四角形状であり、第１透光板５６の端部５６１、５６２、５６３、５６４は各々、平面視において第１透光板５６の全周で第１基板５１の側面５１１、５１２、５１３、５１４より内側に位置し、第１基板５１の側面５１１、５１２、５１３、５１４と画像表示領域４０ａの端部との間に位置している。このため、第１透光板５６においてＸ軸方向で相対向する端部５６１、５６２は各々、電気光学パネル４０のＸ軸方向の他方側Ｘ２に位置する第１側面（第１基板５１の側面５１１）と画像表示領域４０ａとの間、および電気光学パネル４０のＸ軸方向の一方側Ｘ１に位置する第２側面（第１基板５１の側面５１２）と画像表示領域４０ａとの間に位置する。従って、第１基板５１の第２面５１ｂの側面５１１、５１２が位置する側の端部は第１透光板５６から露出している。また、第１透光板５６においてＹ軸方向で相対向する端部５６３、５６４は、電気光学パネル４０のＹ軸方向で相対向する一対の側面を構成する第１基板５１の側面５１３、５１４と画像表示領域４０ａの端部との間に位置しており、第１基板５１の第２面５１ｂの側面５１３、５１４が位置する側の端部も第１透光板５６から露出している。このため、第１透光板５６の周りには、第１透光板５６の端部５６１、５６２、５６３、５６４と第１基板５１の第２面５１ｂとによって段部４０ｅ、４０ｆ、４０ｇ、４０ｈが構成されている。
【００４９】
また、第２透光板５７は、第２基板５２の第２面５２ｂの一部を露出させた状態で電気光学パネル４０の少なくとも画像表示領域４０ａに重なるように設けられている。より具体的には、第２透光板５７は、第１透光板５６とサイズが略同一の四角形であり、第２基板５２よりはサイズが小さい。このため、第２透光板５７の端部５７１、５７２、５７３、５７４は各々、平面視において第２透光板５７の全周で第２基板５２の側面５２１、５２２、５２３、５２４より内側に位置し、第２基板５２の側面５２１、５２２、５２３、５２４と画像表示領域４０ａの端部との間に位置している。このため、第２透光板５７の周りには、第２透光板５７の端部５７１、５７２、５７３、５７４と第２基板５２の第２面５２ｂとによって段部４０ｗ、４０ｘ、４０ｙ、４０ｚが構成されている。
【００５０】
（フレーム６０の構成）
本形態において、フレーム６０は、中央に矩形の開口部６８を備えた矩形枠状の樹脂製部材あるいは金属製部材であり、電気光学パネル４０の周りを囲んで電気光学パネル４０を支持する４つの枠部６１、６２、６３、６４を備えている。かかる構成のフレーム６０において、電気光学パネル４０の第１側面（第１基板５１の側面５１１）に対向する枠部６１が本発明における「第１枠部」に相当し、電気光学パネル４０の第２側面（第１基板５１の側面５１２）に対向する枠部６２が本発明における「第２枠部」に相当する。
【００５１】
フレーム６０の４つの枠部６１、６２、６３、６４において、隣り合う枠部同士の連結部（角部分）は、Ｚ軸方向の他方側Ｚ２に向けて突出した角柱状の柱状部６５１、６５２、６５３、６５４になっており、かかる柱状部６５１、６５２、６５３、６５４は、電気光学モジュール１０を投射型表示装置のフレーム等にネジ止めするためのネジ穴が形成された座部になっている。柱状部６５１、６５２、６５３、６５４は略四角柱状であるが、外周面の４つの角部分のうち、３つの角部分は湾曲した形状になっている。
【００５２】
フレーム６０は、金属製部材あるいは樹脂製部材からなり、本形態において、フレーム６０は、金属製部材からなる。かかるフレーム６０に、後述する入射側の第１板状カバー８０を取り付けると、フレーム６０の内側にパネル収容部６６が構成され、かかるパネル収容部６６は、第１板状カバー８０からなる底部を有している。
【００５３】
フレーム６０において、枠部６１、６２、６３、６４の内面は、電気光学パネル４０に第２透光板５７を貼付した状態の端部の形状に対応する段部が構成されている。より具体的には、図８（ｂ）に示すように、パネル収容部６６の側面において、Ｘ軸方向の他方側Ｘ２に位置する枠部６１の内面には、Ｚ軸方向で離間する位置に段部６１ａ、６１ｂが形成されている。段部６１ａ、６１ｂのうち、Ｚ軸方向の一方側Ｚ１に位置する段部６１ａは、電気光学パネル４０側の段部４０ｗと対峙しており、第２透光板５７の端部５７１は枠部６１の内面と隙間を介して離間し、第２基板５２の側面５２１は、枠部６１の内面と極めて狭い隙間を介して離間している。また、Ｚ軸方向の他方側Ｚ２に位置する段部６１ｂは、電気光学パネル４０側の段部４０ｓと対峙しており、第１基板５１の側面５１１は、枠部６１の内面と隙間を介して離間している。ここで、枠部６１の最も外側には、Ｚ軸方向の他方側Ｚ２に向けて突出した板状突部６１９が形成されており、かかる板状突部６１９は、Ｙ軸方向で対向する２つの柱状部６５１、６５３の間の全体にわたって延在している。
【００５４】
また、図８（ｂ）および図９に示すように、枠部６１（第１枠部）において、電気光学パネル４０の第１側面（第１基板５１の側面５１１）に対向する面以外の面には、Ｙ軸方向（第１基板５１の側面５１１の延在方向）に延在する第１溝６１ｃが形成されている。本形態において、第１溝６１ｃは、枠部６１のＺ軸方向の他方側Ｚ２に向く面において板状突部６１９の内縁に沿うように形成されており、Ｙ軸方向で対向する２つの柱状部６５１、６５３の間の全体にわたって延在している。
【００５５】
再び図８（ｂ）において、Ｘ軸方向の一方側Ｘ１に位置する枠部６２の内面には、枠部６１の内面と同様、段部６２ａ、６２ｂが形成されている。段部６２ａは、電気光学パネル４０側の段部４０ｘと対峙しており、第２透光板５７の端部５７２は枠部６２の内面と隙間を介して離間し、第２基板５２の側面５２２は、枠部６２の内面と極めて狭い隙間を介して離間している。また、段部６２ｂは、電気光学パネル４０側の段部４０ｔと対峙しており、第１基板５１の側面５１２は、枠部６２の内面と隙間を介して離間している。ここで、枠部６２の最も外側には、Ｚ軸方向の他方側Ｚ２に向けて突出した板状突部６２９が形成されており、かかる板状突部６２９は、Ｙ軸方向で対向する２つの柱状部６５２、６５４の間の全体にわたって延在している。
【００５６】
また、枠部６２（第２枠部）において、電気光学パネル４０の第１側面と対向する第２側面（第１基板５１の側面５１２）に対向する面以外の面には、Ｙ軸方向（第１基板５１の側面５１２の延在方向）に延在する第２溝６２ｃが形成されている。本形態において、第１溝６１ｃは、枠部６１のＺ軸方向の他方側Ｚ２に向く面において板状突部６１９の内縁に沿うように形成されており、Ｙ軸方向で対向する２つの柱状部６５２、６５４の間の全体にわたって延在している。
【００５７】
図８（ａ）に示すように、Ｙ軸方向の他方側Ｙ２に位置する枠部６３の内面には、段部６３ａが形成されている。段部６３ａは、電気光学パネル４０側の段部４０ｙと対峙しており、第２透光板５７の端部５７３は枠部６３の内面と隙間を介して離間し、第２基板５２の側面５２３は、枠部６３の内面と極めて狭い隙間を介して離間している。枠部６３において、段部６３ａより外側は、電気光学パネル４０の面内方向に広がる板状部６３ｆになっている。このため、第１基板５１の側面５１３と対向する位置にはフレーム６０が存在していない。
【００５８】
Ｙ軸方向の一方側Ｙ１に位置する枠部６４の内面には段部６４ａが形成されている。かかる段部６４ａは、電気光学パネル４０側の段部４０ｚと対峙しており、第２透光板５７の端部５７４は枠部６４の内面と隙間を介して離間している。枠部６４において、段部６４ａより外側は、電気光学パネル４０の面内方向に広がる板状部６４ｆになっており、段部６４ａと板状部６４ｆとの間はテーパー面６４ｇになっている。フレキシブル配線基板４０ｉは、電気光学パネル４０の面内方向（板状部６４ｆの面内方向）に沿って延在するようにフレーム６０の外側に引き出されている。板状部６４ｆにおいてフレキシブル配線基板４０ｉ側に位置する面には、２つの突部６４ｈが形成されている。このため、フレキシブル配線基板４０ｉの板状部６４ｆ側に向かっての変位は、突部６４ｈによって制限されている。
【００５９】
このように構成したフレーム６０を用いて電気光学モジュール１０を製造するには、図８（ａ）、（ｂ）および図９に示すように、フレーム６０に後述する入射側の第１板状カバー８０を取り付けてフレーム６０の内側にパネル収容部６６を形成した後、パネル収容部６６の内側に電気光学パネル４０を収容する。より具体的には、電気光学パネル４０に第１透光板５６および第２透光板５７を貼付した後、フレーム６０において表示光が出射される側（Ｚ軸方向の他方側Ｚ２）から、第２透光板５７側を先行させるようにして電気光学パネル４０をフレーム６０の内側（パネル収容部６６）に設ける。その際、第２基板５２の側面５２１、５２２、５２３、５２４は、第２透光板５７より外側に突出している。そこで、枠部６１において段部６１ａ、６１ｂの間に位置する角部分をＺ軸方向の他方側Ｚ２に向かって斜めに向くテーパー面６１ｇとし、第２基板５２の端部をテーパー面６１ｇで内側にガイドするようになっている。また、枠部６２でも、枠部６１と同様、段部６２ａ、６２ｂの間に位置する角部分をＺ軸方向の他方側Ｚ２に向かって斜めに向くテーパー面６２ｇとし、第２基板５２の端部をテーパー面６２ｇで内側にガイドするようになっている。また、枠部６３では、内縁をＺ軸方向の他方側Ｚ２に向かって斜めに向くテーパー面６３ｇとし、第２基板５２の端部をテーパー面６３ｇで内側にガイドするようになっている。なお、枠部６４でも、段部６４ａと板状部６４ｆとの間に位置する角部分をＺ軸方向の他方側Ｚ２に向かって斜めに向くテーパー面６４ｇとし、第２基板５２の端部をテーパー面６４ｇで内側にガイドするようになっている。
【００６０】
（入射側の第１板状カバー８０の構成）
フレーム６０に対して光入射側（Ｚ軸方向の一方側Ｚ１）には、金属板あるいは樹脂板からなる板状の第１板状カバー８０が重ねて配置されている。本形態において、第１板状カバー８０は金属製であり、第１板状カバー８０においてＺ軸方向の一方側Ｚ１に向く面は反射面になっている。
【００６１】
第１板状カバー８０は、フレーム６０に対して光入射側で重なる四角形の端板部８７を備えており、端板部８７には、フレーム６０の開口部６８に重なる開口部８８が形成されている。開口部８８は、フレーム６０の開口部６８に比して小さく、端板部８７は、開口部６８の全周において開口部６８の内側に張り出している。このため、第１板状カバー８０の端板部８７は、電気光学パネル４０に光が入射する範囲を制限する見切り部として機能する。
【００６２】
第１板状カバー８０は、端板部８７の外縁からＺ軸方向の他方側Ｚ２に延在する係合板部８１、８２および側板部８３、８４を備えている。これらの係合板部８１、８２および側板部８３、８４のうち、Ｙ軸方向の他方側Ｙ２に位置する側板部８３は、枠部６３のＺ軸方向の一方側Ｚ１の面に重なるように延在しており、枠部６３の形状に沿って斜めに屈曲している。また、Ｙ軸方向の一方側Ｙ１に位置する側板部８４は、枠部６４のＺ軸方向の一方側Ｚ１の面に重なるように延在しており、枠部６４の形状に沿って斜めに屈曲している。
【００６３】
Ｘ軸方向の他方側Ｘ２に位置する係合板部８１は、枠部６１において電気光学パネル４０とは反対側に位置する外面に沿って端板部８７の端部からＺ軸方向の他方側Ｚ２に向けて略直角に屈曲している。本形態において、係合板部８１は、Ｙ軸方向で離間する２個所に設けられており、かかる２枚の係合板部８１の各々に係合穴８１０が形成されている。一方、フレーム６０の枠部６１の外面には、２つの係合穴８１０の各々に嵌る突部６１７が形成されている。また、Ｘ軸方向の一方側Ｘ１に位置する係合板部８２は、枠部６２の電気光学パネル４０とは反対側に位置する外面に沿うように端板部８７の端部からＺ軸方向の他方側Ｚ２に向けて略直角に屈曲している。本形態において、係合板部８２は、Ｙ軸方向で離間する２個所に設けられており、かかる２枚の係合板部８２の各々には係合穴８２０が形成されている。一方、フレーム６０の枠部６２の外面には、２つの係合穴８２０の各々に嵌る突部６２７が形成されている。
【００６４】
従って、第１板状カバー８０は、フレーム６０を挟むように設けられた係合板部８１、８２がフレーム６０の突部６１７、６２７に係合することによってフレーム６０に連結され、フレーム６０と一体化している。その結果、フレーム６０の内側には、第１板状カバー８０の端板部８７を底部とするパネル収容部６６が構成され、かかるパネル収容部６６に、第１透光板５６および第２透光板５７が貼付された電気光学パネル４０が収容される。なお、フレーム６０の枠部６１、６２の外面において、突部６１７、６２７に挟まれた位置には突部６９が形成されており、かかる突部６９は、以下に説明する第２板状カバー７０と係合する。
【００６５】
（出射側の第２板状カバー７０の構成）
電気光学パネル４０および第１透光板５６に対してＺ軸方向の他方側Ｚ２には、金属板または樹脂板からなる第２板状カバー７０が配置されている。本形態において、第２板状カバー７０は金属板からなり、Ｚ軸方向の他方側Ｚ２の面は、黒色化処理によって光吸収面になっている。このため、電気光学パネル４０から出射された光が他の部材で電気光学パネル４０に向けて反射しても、第２板状カバー７０で吸収することができるので、迷光の発生を防止することができる。また、第２板状カバー７０は、アルミニウムや銅等、熱伝導率が高い金属材料からなり、放熱部材として機能するように構成されている。
【００６６】
本形態において、第１透光板５６は、第１基板５１よりサイズが小さい四角形状であり、第１基板５１の第２面５１ｂは、全周にわたって側面５１１、５１２、５１３、５１４に沿って第１透光板５６から露出している。従って、第２板状カバー７０は、第１基板５１の全周にわたって第２面５１ｂの外周領域にＺ軸方向の他方側Ｚ２で重なる端板部７６を備えており、端板部７６は、４つの板部７１、７２、７３、７４からなる。
【００６７】
第２板状カバー７０において、端板部７６は、内縁から内側に張り出した内周側薄板部分７７を備えており、かかる内周側薄板部分７７は、第１透光板５６において電気光学パネル４０が位置する側とは反対側の面に重なっている。ここで、内周側薄板部分７７には、電気光学パネル４０の画像表示領域４０ａと重なる領域に開口部７８が形成されており、内周側薄板部分７７は、表示光の出射範囲を制限する出射側の見切り部として機能する。このように本形態では、第２板状カバー７０に見切り部（内周側薄板部分７７）が一体に形成されている。内周側薄板部分７７の厚さ寸法は、端板部７６の他の部分より薄く、例えば、０．２ｍｍ以下である。
【００６８】
第２板状カバー７０において、端板部７６は、板部７１からＸ軸方向の他方側Ｘ２に向けて張り出した外周側薄板部分７１１と、板部７２からＸ軸方向の一方側Ｘ１に向けて張り出した外周側薄板部分７２１とが形成されており、板部７１、７２は各々、外周側薄板部分７１１、７２１と内周側薄板部分７７とを除く部分は肉厚部分７１３、７２３になっている。
【００６９】
また、第２板状カバー７０は、外周側薄板部分７１１の外縁および外周側薄板部分７２１の外縁の各々からＺ軸方向の一方側Ｚ１（フレーム６０の側）に向けて延在した一対の係合板部７５を備えており、かかる一対の係合板部７５には、フレーム６０の突部６９が嵌る係合穴７５０が形成されている。係合板部７５は、外周側薄板部分７１１および外周側薄板部分７２１に比してＹ軸方向の寸法が小さく、外周側薄板部分７１１および外周側薄板部分７２１のＹ軸方向の中央からフレーム６０の枠部６１の外面に沿って延在している。
【００７０】
このように構成した第２板状カバー７０において、板部７１の肉厚部分７１３のＸ軸方向の幅寸法は、第１透光板５６の端部５６１とフレーム６０の板状突部６１９とのＸ軸方向における離間距離より小であり、板部７２の肉厚部分７２３のＸ軸方向の幅寸法は、第１透光板５６の端部５６２とフレーム６０の枠部６２の板状突部６２９とのＸ軸方向における離間距離より小である。
【００７１】
板部７３、７４は、Ｙ軸方向の寸法（幅寸法）が板部７１、７２のＸ軸方向の寸法（幅寸法）より大である。また、板部７３、７４には、板部７１、７２と違って、外周側薄板部分や係合板部が形成されておらず、内周側薄板部分７７を除く略全体が肉厚部分７３３、７４３になっている。ここで、フレーム６０の枠部６３、６４のＺ軸方向の寸法は、枠部６１、６２に比して小である。このため、第１透光板５６に対してＹ軸方向の他方側Ｙ２ではフレーム６０の枠部６３が対向せず、第１透光板５６に対してＹ軸方向の一方側Ｙ１ではフレーム６０の枠部６４が対向していない。
【００７２】
また、第２板状カバー７０において、Ｙ軸方向の一方側Ｙ１に位置する板部７４のＺ軸方向の他方側Ｚ２の面には、Ｙ軸方向の一方側Ｙ１に位置する端部に複数の凹部７４７が形成されており、かかる複数の凹部７４７は、Ｘ軸方向に所定の間隔をあけて配列されている。このため、電気光学パネル４０のＺ軸方向の他方側Ｚ２の面に沿って冷却空気の流れを形成した際、凹部７４７および凹部７４７により挟まれた部分は放熱フィンとして機能する。
【００７３】
（電気光学モジュール１０の組み立て方法および通気路等の構成）
本形態の電気光学モジュール１０を組み立てる際、フレーム６０に入射側の第１板状カバー８０を取り付けてフレーム６０の内側にパネル収容部６６を形成した後、第１透光板５６および第２透光板５７を貼付した電気光学パネル４０をパネル収容部６６に収容し、次に、第２板状カバー７０を電気光学パネル４０に対してＺ軸方向の他方側Ｚ２に重ね、係合板部７５の係合穴７５０にフレーム６０の突部６９を係合させる。その結果、第２板状カバー７０とフレーム６０とが結合し、フレーム６０、入射側の第１板状カバー８０、および出射側の第２板状カバー７０によって、電気光学パネル４０が支持される。
【００７４】
このようにして組み立てた状態で、第２板状カバー７０の外周側薄板部分７１１、７２１は、フレーム６０の板状突部６１９、６２９の端部に重なる。また、枠部６１は、第１溝６１ｃより内側で板部７１に対してＺ軸方向で隙間を介して対向し、枠部６２は、第２溝６２ｃより内側で板部７２に対してＺ軸方向で隙間を介して対向することになる。従って、第２板状カバー７０を配置する際、枠部６１の第１溝６１ｃより内側の部分、および枠部６２の第２溝６２ｃより内側の部分に対して嫌気性や熱硬化性の接着剤７９を塗布して硬化させれば、第２板状カバー７０、フレーム６０および電気光学パネル４０を相互に接着することできる。
【００７５】
この状態で、板部７１の肉厚部分７１３は、第１透光板５６の端部５６１とフレーム６０の板状突部６１９との間に入り込み、第１基板５１の第２面５１ｂのうち、側面５１１が位置する側の端部に接する。また、板部７２の肉厚部分７２３は、第１透光板５６の端部５６２とフレーム６０の枠部６２に設けられた板状突部６２９との間に入り込み、第１基板５１の第２面５１ｂのうち、側面５１２が位置する側の端部に接する。板部７３は、フレーム６０の枠部６３に所定の隙間を介してＺ軸方向で対向し、第１基板５１の第２面５１ｂのうち、側面５１３が位置する側の端部に接する。板部７４は、フレーム６０の枠部６４に所定の隙間を介してＺ軸方向で対向し、第１基板５１の第２面５１ｂのうち、側面５１４が位置する側の端部に接する。また、第２板状カバー７０の内周側薄板部分７７は、第１透光板５６の全周においてＺ軸方向の他方側Ｚ２の面に重なり、見切りとして機能する。
【００７６】
また、図８（ｂ）および図９を参照して説明したように、枠部６１において、Ｚ軸方向の他方側Ｚ２に向く面には第１溝６１ｃが形成されている。このため、第２板状カバー７０の外周側薄板部分７１１および肉厚部分７１３は、第１溝６１ｃにおいてＺ軸方向の他方側Ｚ２に向けて開口する開口部６１ｄを塞ぐ結果、第２板状カバー７０および第１溝６１ｃは、Ｙ軸方向に延在する中空の第１通気路１９１を区画することになる。かかる第１通気路１９１は、フレーム６０の枠部６１、フレーム６０の板状突部６１９、第２板状カバー７０の外周側薄板部分７１１、および第２板状カバー７０の肉厚部分７１３によって周りが閉塞された断面矩形形状を有している。ここで、第１溝６１ｃのＹ軸方向の延長線上には柱状部６５１、６５３が位置するが、枠部６１において第１溝６１ｃより内側に位置する部分には、柱状部６５１、６５３との間に溝が形成されている。このため、第１通気路１９１は、Ｙ軸方向の一方側Ｙ１では柱状部６５３、６５４の間において第２板状カバー７０とフレーム６０との間で開口し、Ｙ軸方向の他方側Ｙ２では柱状部６５１、６５２の間において第２板状カバー７０とフレーム６０との間で開口している。従って、第１通気路１９１は、Ｙ軸方向の両端が開放状態にある。それ故、図６（ａ）および図７に矢印Ａ０で示すように、電気光学モジュール１０の内部には、第１溝６１ｃ（第１通気路１９１）を通る冷却空気の通路が構成されている。
【００７７】
また、図８（ｂ）に示すように、枠部６２において、Ｚ軸方向の他方側Ｚ２に向く面には第２溝６２ｃが形成されており、第２板状カバー７０の外周側薄板部分７２１および肉厚部分７２３は、第２溝６２ｃにおいてＺ軸方向の他方側Ｚ２に向けて開口する開口部６２ｄを塞ぐ結果、第２板状カバー７０および第２溝６２ｃは、Ｙ軸方向に延在する中空の第２通気路１９１を区画することになる。かかる第２通気路１９２は、フレーム６０の枠部６２、フレーム６０の板状突部６２９、第２板状カバー７０の外周側薄板部分７２１、および第２板状カバー７０の肉厚部分７２３によって周りが閉塞された断面矩形形状を有している。ここで、第２溝６２ｃのＹ軸方向の延長線上には柱状部６５２、６５４が位置するが、枠部６２において第２溝６２ｃより内側に位置する部分には、柱状部６５２、６５４との間に溝が形成されている。このため、第２通気路１９２は、Ｙ軸方向の一方側Ｙ１では柱状部６５３、６５４の間において第２板状カバー７０とフレーム６０との間で開口し、Ｙ軸方向の他方側Ｙ２では柱状部６５１、６５２の間において第２板状カバー７０とフレーム６０との間で開口している。従って、第２通気路１９２は、Ｙ軸方向の両端が開放状態にある。それ故、図６（ａ）および図７に矢印Ａ０で示すように、電気光学モジュール１０の内部には、第２溝６２ｃ（第２通気路１９２）を通る冷却空気の通路が構成されている。
【００７８】
（本形態の主な効果）
以上説明したように、本形態の電気光学モジュール１０において、フレーム６０の枠部６１には第１溝６１ｃが形成されており、かかる第１溝６１ｃの開口部６１ｄには第２板状カバー７０が被さって、両端が開放状態にある中空の第１通気路１９１が区画されている。また、フレーム６０の枠部６２には第２溝６２ｃが形成されており、かかる第２溝６２ｃの開口部６２ｄには第２板状カバー７０が被さって、両端が開放状態にある中空の第２通気路１９２が区画されている。このため、矢印Ａで示すように、図１に示す吸気ファン１５Ｂ等によって、電気光学パネル４０に対してＹ軸方向の他方側Ｙ２から一方側Ｙ１に向かう冷却空気の流れを形成した際、冷却空気は、柱状部６５１、６５２の間を通って電気光学モジュール１０の内部の第１通気路１９１および第２通気路１９２に流入し、その後、第１通気路１９１および第２通気路１９２から柱状部６５３、６５４の間を通って流出する。このため、電気光学パネル４０で発生した熱を冷却空気に効率よく逃がすことができるので、光源光等に起因する電気光学パネル４０の温度上昇を低く抑えることができる。
【００７９】
また、第２板状カバー７０は、フレーム６０と係合する係合板部７５を備えているため、係合板部７５を利用して、フレーム６０と第２板状カバー７０とを結合させるだけで、第２板状カバー７０が第１溝６１ｃおよび第２溝６２ｃの開口部６１ｄ、６２ｄに被さって第１通気路１９１および第２通気路１９２が区画される。従って、第１通気路１９１および第２通気路１９２を備えた電気光学モジュール１０を効率よく組み立てることができる。
【００８０】
また、第２板状カバー７０は、第１溝６１ｃおよび第２溝６２ｃの開口部６１ｄ、６２ｄを塞いで第１通気路１９１および第２通気路１９２を区画しているので、冷却空気が第１通気路１９１および第２通気路１９２から漏れない。このため、第１通気路１９１および第２通気路１９２での冷却空気の流速が高いので、電気光学パネル４０を効率よく冷却することができる。また、第１通気路１９１内および第２通気路１９２内で加熱された冷却空気が第１通気路１９１および第２通気路１９２から漏れて電気光学パネル４０に当たることがないので、冷却空気に含まれていた水分が電気光学パネル４０のシール材４０７から電気光学パネル４０の内部に侵入することを抑制することができる。
【００８１】
また、第２板状カバー７０において、端板部７６の肉厚部分７１３、７２３は、第１通気路１９１および第２通気路１９２を区画するのに寄与しているとともに、第１基板５１の第２面５１ｂに接している。このため、第２板状カバー７０の肉厚部分７１３、７２３は、電気光学パネル４０で発生した熱を、第１基板５１を介して効率よく受け、第１通気路１９１および第２通気路１９２を流れる冷却空気に効率よく逃がす。従って、第１通気路１９１および第２通気路１９２を利用した冷却効率が高い。また、第２板状カバー７０の肉厚部分７１３、７２３は、第１基板５１および第２基板５２のうち、光源光の吸収による発熱が大きい素子基板（第１基板５１）の方に接しているので、第１基板５１で発生した熱を効率よく逃がすことができる。
【００８２】
さらに、第２板状カバー７０において、端板部７６は、第１透光板５６の周りで第１基板５１の第２面５１ｂに接しているとともに、矢印Ａで示すように、図１に示す吸気ファン１５Ｂ等によって、電気光学モジュール１０に供給された冷却空気は、電気光学モジュール１０のＺ軸方向の一方側Ｚ１の面、および他方側Ｚ２の面に沿って流れる。このため、第２板状カバー７０は、電気光学パネル４０で発生した熱を、第１基板５１を介して効率よく受け、電気光学モジュール１０のＺ軸方向の一方側Ｚ１の面、および他方側Ｚ２の面に沿って流れる冷却空気に効率よく逃がすことができる。しかも、第２板状カバー７０において、第２板状カバー７０のＺ軸方向の他方側Ｚ２の面には、凹部７４７からなる放熱フィンが形成されているため、電気光学パネル４０で発生した熱を、第１透光板５６を介して冷却空気に逃がすことができる。また、冷却空気の上流側（Ｙ軸方向の他方側Ｙ２）では、第１基板５１の側面５１３がフレーム６０と第２板状カバー７０との間で露出している。このため、冷却空気は、第１基板５１の側面５１３を直接、冷却するので、電気光学パネル４０で発生した熱を効率よく逃がすことができる。
【００８３】
また、第１通気路１９１および第２通気路１９２のＹ軸方向の一方側Ｙ１への延長線上には柱状部６５３、６５４が位置するが、柱状部６５３、６５４の外周面の３つの角部分は、湾曲した形状になっており、柱状部６５３、６５４において第１通気路１９１および第２通気路１９２が開口している側は湾曲面になっている。また、第１通気路１９１および第２通気路１９２のＹ軸方向の他方側Ｙ２への延長線上には柱状部６５１、６５２が位置するが、柱状部６５１、６５２の外周面の３つの角部分は湾曲した形状になっているため、柱状部６５１、６５２において第１通気路１９１および第２通気路１９２が開口している側は湾曲面になっている。従って、第１通気路１９１および第２通気路１９２の延長線上に柱状部６５１、６５２、６５３、６５４が存在している場合でも、冷却空気は、柱状部６５１、６５２、６５３、６５４の湾曲面に沿ってスムーズに流れるので、第１通気路１９１および第２通気路１９２への冷却空気の流入や、第１通気路１９１および第２通気路１９２からの冷却空気の流出がスムーズである。それ故、冷却空気は、第１通気路１９１および第２通気路１９２において十分な流速をもって流れることになるので、冷却効率が高い。
【００８４】
また、第２板状カバー７０の端板部７６は、画像表示領域４０ａに対する見切り部を構成しているため、見切り部材を別途設ける必要がないという利点がある。
【００８５】
また、本形態では、第２板状カバー７０において係合板部７５が位置する側（第１通気路１９１および第２通気路１９２が形成されている側）では、フレーム６０からＺ軸方向の他方側Ｚ２に突出して第１通気路１９１および第２通気路１９２の延在方向に沿って延在する板状突部６１９、６２９が形成されている。このため、第１通気路１９１および第２通気路１９２が形成されている側に係合板部７５を設けた場合でも、板状突部６１９、６２９によって第１通気路１９１および第２通気路１９２の周りを塞ぐことができる。それ故、係合板部７５を第１通気路１９１および第２通気路１９２の延在方向の全体にわたって設けなくても、第１通気路１９１および第２通気路１９２から冷却空気が漏れることを防止することができ、冷却空気の漏れに起因する冷却効果の低下を防止することができる。
【００８６】
［実施の形態２］
図１０は、本発明の実施の形態２に係る電気光学モジュール１０の端部を拡大して示す説明図であり、図６（ａ）に示すＸａ−Ｘａ′線におけるＸａ′側の端部を拡大して示す説明に相当する。なお、本形態の基本的な構成は、実施の形態１と同様であるため、共通する部分には同一の符号を付して、それらの説明を省略する。
【００８７】
実施の形態１では、フレーム６０の枠部６１（第１枠部）および枠部６２（第２枠部）の外縁に板状突部６１９、６２９が形成され、かかる板状突部６１９、６２９の内縁に沿うように第１溝６１ｃおよび第２溝６２ｃが形成されていた。これに対して、本形態では、図１０に示すように、実施の形態１に比して、板状突部６１９の幅寸法が広く、板状突部６１９においてＺ軸方向の他方側Ｚ２の面に第１溝６１ｃが形成されている。このため、枠部６１の板状突部６１９は、第１溝６１ｃを挟んで内側の板状突部６１９ａと外側の板状突部６１９ｂとに分割されている。
【００８８】
かかる構成のフレーム６０でも、実施の形態１と同様、金属製の第２板状カバー７０が第１溝６１ｃにおいてＺ軸方向の他方側Ｚ２に向けて開口する開口部６１ｄを塞ぐ結果、第２板状カバー７０および第１溝６１ｃは、Ｙ軸方向に延在する中空の第１通気路１９１を区画することになる。
【００８９】
なお、第２溝６２ｃおよび第２通気路１９２の構成は、第１溝６１ｃおよび第１通気路１９１の構成と同様であるため、説明を省略する。
【００９０】
［実施の形態３］
図１１は、本発明の実施の形態３に係る電気光学モジュール１０を分解した様子を光出射側からみたときの分解斜視図である。図１２は、本発明の実施の形態３に係る電気光学モジュール１０の端部を拡大して示す説明図であり、図６（ａ）に示すＸａ−Ｘａ′線におけるＸａ′側の端部を拡大して示す説明に相当する。なお、本形態の基本的な構成は、実施の形態１と同様であるため、共通する部分には同一の符号を付して、それらの説明を省略する。
【００９１】
実施の形態１では、フレーム６０の枠部６１（第１枠部）および枠部６２（第２枠部）のＺ軸方向の他方側Ｚ２の面に第１溝６１ｃおよび第２溝６２ｃが形成されていた。これに対して、本形態では、図１１および図１２に示すように、フレーム６０の枠部６１（第１枠部）において、電気光学パネル４０の側とは反対側の外面に第１溝６１ｃが形成されている。また、本形態では、第１溝６１ｃの開口部６１ｄを第１板状カバー８０で塞いで第１通気路１９１を形成するために、端板部７６からＺ軸方向の一方側Ｚ１に側板部７５５を延在させ、かかる側板部７５５から枠部６１の外面に沿うように係合板部７５を延在させている。このため、枠部６１の外面において、突部６９、６１７は、実施の形態１に比してＺ軸方向の一方側Ｚ１に形成されている。また、第１板状カバー８０の係合板部８１の突出寸法は短く設定されている。
【００９２】
ここで、側板部７５５は、Ｙ軸方向において第１板状カバー８０の端板部７６の全体にわたって形成されている。このため、第２板状カバー７０を電気光学パネル４０に対してＺ軸方向の他方側Ｚ２に設けると、第２板状カバー７０の側板部７５５が第１溝６１ｃにおいてＸ軸方向の他方側Ｘ２に向けて開口する開口部６１ｄを塞ぐ結果、第２板状カバー７０および第１溝６１ｃは、Ｙ軸方向に延在する中空の第１通気路１９１を区画することになる。なお、第１溝６１ｃの延長線上には柱状部６５１、６５３が存在するが、かかる柱状部６５１、６５３の外面には、第１溝６１ｃの延長線上に沿って溝６５１ａ、６５３ａが形成されている。このため、第１通気路１９１のＹ軸方向の両端は開放状態にある。従って、矢印Ａで示すように、図１に示す吸気ファン１５Ｂ等によって、電気光学パネル４０に対してＹ軸方向の他方側Ｙ２から一方側Ｙ１に向かう冷却空気の流れを形成した際、冷却空気は、柱状部６５１の溝６５１ａを通って電気光学モジュール１０の内部の第１通気路１９１に流入し、その後、第１通気路１９１から柱状部６５３の溝６５３ａを通って流出する。このため、電気光学パネル４０で発生した熱を冷却空気に効率よく逃がすことができる。
【００９３】
なお、第２溝６２ｃおよび第２通気路１９２の構成等は、第１溝６１ｃおよび第１通気路１９１の構成と同様であるため、説明を省略する。
【００９４】
［実施の形態４］
図１３は、本発明の実施の形態４に係る電気光学モジュール１０の端部を拡大して示す説明図であり、図６（ａ）に示すＸａ−Ｘａ′線におけるＸａ′側の端部を拡大して示す説明に相当する。なお、本形態の基本的な構成は、実施の形態１と同様であるため、共通する部分には同一の符号を付して、それらの説明を省略する。
【００９５】
実施の形態１等では、フレーム６０の第１溝６１ｃおよび第２溝６２ｃに第２板状カバー７０を被せて第１通気路１９１および第２通気路１９２を構成したが、本形態では、以下に説明するように、フレーム６０の第１溝６１ｃおよび第２溝６２ｃに第１板状カバー８０を被せて第１通気路１９１および第２通気路１９２を構成する。具体的には、図１３に示すように、第１溝６１ｃは、フレーム６０の枠部６１のＺ軸方向の一方側Ｚ１の面に形成されている。また、第１板状カバー８０の端板部８７は、第１溝６１ｃのＺ軸方向の一方側Ｚ１に向けて開口する開口部６１ｄに被さって第１通気路１９１を構成している。本形態において、第１板状カバー８０の端板部８７は、第１溝６１ｃの開口部６１ｄを塞ぐことにより、第１溝６１ｃおよび第１板状カバー８０により、周囲が閉塞された第１通気路１９１が構成されている。
【００９６】
なお、第２溝６２ｃおよび第２通気路１９２の構成等は、第１溝６１ｃおよび第１通気路１９１の構成と同様であるため、説明を省略する。
【００９７】
［実施の形態５］
図１４は、本発明の実施の形態５に係る電気光学モジュール１０の説明図であり、図１４（ａ）、（ｂ）は、電気光学モジュール１０の平面図、およびフレーム６０の斜視図である。なお、本形態の基本的な構成は、実施の形態１と同様であるため、共通する部分には同一の符号を付して、それらの説明を省略する。
【００９８】
実施の形態１では、フレーム６０において冷却空気の上流側（第１通気路１９１および第２通気路１９２の延在方向の一方側／Ｙ軸方向の他方側Ｙ２）に位置する枠部６３の第２板状カバー７０と対向する面が平坦な板状部６３ｆになっていたが、本形態では、図１４（ａ）、（ｂ）に示すように、板状部６３ｆには、柱状部６５１、６５２の間に、導風用の斜面壁６３５ａ、６３５ｂを備えた平面三角形状の突部６３５が形成されている。より具体的には、斜面壁６３５ａ、６３５ｂは各々、第１通気路１９１の開口幅および第２通気路１９２の開口幅をＹ軸方向の他方側Ｙ２（冷却空気の上流側）に向かうに伴って拡大させる方向に傾いている。
【００９９】
このため、矢印Ａで示す冷却空気は、柱状部６５１、６５２の間に流入した際、斜面壁６３５ａ、６３５ｂに当たって第１通気路１９１の側および第２通気路１９２の側に効率よく導かれることになる。従って、第１通気路１９１内および第２通気路１９２内における冷却空気の流速が高いので、電気光学パネル４０を効率よく冷却することができる。
【０１００】
なお、図１４には、実施の形態１に対して斜面壁６３５ａ、６３５ｂを設けたが、実施の形態４に対して斜面壁６３５ａ、６３５ｂを設けてもよく、この場合、枠部６３の第１板状カバー８０と対向する面に斜面壁６３５ａ、６３５ｂを設けることになる。
【０１０１】
［実施の形態６］
図１５は、本発明の実施の形態６に係る電気光学モジュール１０の平面図である。なお、本形態の基本的な構成は、実施の形態１と同様であるため、共通する部分には同一の符号を付して、それらの説明を省略する。
【０１０２】
実施の形態１では、第１通気路１９１および第２通気路１９２の延長線上に柱状部６５１、６５２、６５３、６５４が存在していたが、本形態では、図１５に示すように、フレーム６０のＹ軸方向の一方側Ｙ１に形成された柱状部６５３、６５４、およびＹ軸方向の他方側Ｙ２に形成された柱状部６５１、６５２のうちの少なくとも一方は、第１通気路１９１の延長線上および第２通気路１９２の延長線上を避けた位置に設けられている。
【０１０３】
より具体的には、図１５（ａ）に示すように、柱状部６５３、６５４および柱状部６５１、６５２はいずれも、第１通気路１９１の延長線上および第２通気路１９２の延長線上より内側に形成されており、第１通気路１９１の延長線上および第２通気路１９２の延長線上を避けた位置にある。従って、矢印Ａ１で示すように、フレーム６０に柱状部６５１、６５２、６５３、６５４が設けられている場合でも、第１通気路１９１および第２通気路１９２へ冷却空気が流入する際や、第１通気路１９１および第２通気路１９２から冷却空気が流出する際、冷却空気の流速が柱状部６５１、６５２、６５３、６５４によって低下することを防止することができる。それ故、電気光学パネル４０を効率よく冷却することができる。
【０１０４】
図１５（ｂ）に示す形態では、柱状部６５３、６５４および柱状部６５１、６５２のうち、柱状部６５３、６５４は、第１通気路１９１の延長線上および第２通気路１９２の延長線上より内側に形成されており、第１通気路１９１の延長線上および第２通気路１９２の延長線上を避けた位置に設けられている。
【０１０５】
これに対して、柱状部６５１、６５２は、第１通気路１９１の延長線上および第２通気路１９２の延長線上に設けられている。但し、実施の形態５で説明したように、フレーム６０の冷却空気の上流側（第１通気路１９１および第２通気路１９２の延在方向の一方側／Ｙ軸方向の他方側Ｙ２）には、板状部６３ｆの柱状部６５１、６５２の間に、導風用の斜面壁６３５ａ、６３５ｂを備えた平面三角形状の突部６３５が形成されている。このため、矢印Ａ１で示すように、空気は、柱状部６５１、６５２の間に流入した際、斜面壁６３５ａ、６３５ｂに当たって第１通気路１９１の側および第２通気路１９２の側に効率よく導かれることになる。
【０１０６】
図１５（ｃ）に示す形態では、柱状部６５３、６５４および柱状部６５１、６５２はいずれも、第１通気路１９１の延長線上および第２通気路１９２の延長線上より内側に形成されており、柱状部６５３、６５４および柱状部６５１、６５２はいずれも、第１通気路１９１の延長線上および第２通気路１９２の延長線上を避けた位置にある。
【０１０７】
さらに、フレーム６０の冷却空気の上流側（第１通気路１９１および第２通気路１９２の延在方向の一方側／Ｙ軸方向の他方側Ｙ２）には、実施の形態５で説明したように、板状部６３ｆの柱状部６５１、６５２の間に、導風用の斜面壁６３５ａ、６３５ｂを備えた平面三角形状の突部６３５が形成されている。このため、矢印Ａ１で示すように、冷却空気は、第１通気路１９１および第２通気路１９２に直接、流入するとともに、柱状部６５１、６５２の間に流入した冷却空気は、斜面壁６３５ａ、６３５ｂに当たって第１通気路１９１の側および第２通気路１９２の側に効率よく導かれることになる。
【０１０８】
図１５（ｄ）に示す形態では、柱状部６５３、６５４および柱状部６５１、６５２はいずれも、第１通気路１９１の延長線上および第２通気路１９２の延長線上より内側に形成されており、柱状部６５３、６５４および柱状部６５１、６５２はいずれも、第１通気路１９１の延長線上および第２通気路１９２の延長線上を避けた位置にある。
【０１０９】
また、フレーム６０の冷却空気の上流側（第１通気路１９１および第２通気路１９２の延在方向の一方側／Ｙ軸方向の他方側Ｙ２）には、実施の形態５で説明したように、板状部６３ｆの柱状部６５１、６５２の間に、導風用の斜面壁６３５ａ、６３５ｂを備えた平面三角形状の突部６３５が形成されている。
【０１１０】
さらに、フレーム６０の柱状部６５１、６５２よりＸ軸方向の外側には、第１通気路１９１の開口幅および第２通気路１９２の開口幅をＹ軸方向の他方側Ｙ２（冷却空気の上流側）に向かうに伴って拡大させる方向に傾いた導風用の斜面壁６３６ａ、６３６ｂが形成されている。このため、矢印Ａ１で示すように、冷却空気は、柱状部６５１、６５２の間を通って第１通気路１９１および第２通気路１９２に流入する際、および柱状部６５１、６５２の外側を通って第１通気路１９１および第２通気路１９２に流入する際のいずれにおいても、斜面壁６３５ａ、６３５ｂ、６３６ａ、６３６ｂに当たって第１通気路１９１の側および第２通気路１９２の側に効率よく導かれることになる。
【０１１１】
［実施の形態７］
図１６は、本発明の実施の形態７に係る電気光学モジュール１０の端部を拡大して示す説明図であり、図６（ａ）に示すＸａ−Ｘａ′線におけるＸａ′側の端部を拡大して示す説明に相当する。なお、本形態の基本的な構成は、実施の形態１と同様であるため、共通する部分には同一の符号を付して、それらの説明を省略する。
【０１１２】
実施の形態１、２においては、フレーム６０の第１溝６１ｃおよび第２溝６２ｃの開口部６１ｄ、６２ｄを第２板状カバー７０により塞いで第１通気路１９１および第２通気路１９２を構成した。これに対して、本形態においては、図１６に示すように、フレーム６０の第１溝６１ｃおよび第２溝６２ｃの開口部６１ｄを第２板状カバー７０が部分的に塞ぎ、他の部分を電気光学パネル４０によって塞ぐことによって第１通気路１９１が構成されている。より具体的には、第２板状カバー７０には、図９等に示す肉厚部分７１３が形成されておらず、それ故、第１溝６１ｃの開口部６１ｄは、第２板状カバー７０と電気光学パネル４０とによって塞がれている。従って、第１通気路１９１は、電気光学パネル４０、フレーム６０の第１溝６１ｃ、および第２板状カバー７０によって周りが囲まれている。それ故、第１通気路１９１を流れる冷却空気によって、電気光学パネル４０を直接、冷却することができる。
【０１１３】
かかる構成は、実施の形態４のように、フレーム６０の第１溝６１ｃおよび第２溝６２ｃの開口部６１ｄ、６２ｄに第１板状カバー８０を被せて第１通気路１９１を構成する場合に採用してもよい。
【０１１４】
なお、第２溝６２ｃおよび第２通気路１９２の構成等は、第１溝６１ｃおよび第１通気路１９１の構成と同様であるため、説明を省略する。
【０１１５】
［実施の形態８］
図１７は、本発明の実施の形態８に係る電気光学モジュール１０の端部を拡大して示す説明図であり、図６（ａ）に示すＸａ−Ｘａ′線におけるＸａ′側の端部を拡大して示す説明に相当する。なお、本形態の基本的な構成は、実施の形態１と同様であるため、共通する部分には同一の符号を付して、それらの説明を省略する。
【０１１６】
上記実施の形態のいずれにおいても、第１基板５１が素子基板で第２基板５２が対向基板の例であったが、図１７に示すように、表示光の出射側に配置された第１基板５１が対向基板であって、第１基板５１に対して光源光の入射側に第１基板５１より大きい第２基板５２が素子基板として配置された電気光学モジュール１０に本発明を適用してもよい。
【０１１７】
［電気光学モジュールの他の形態］
上記実施の形態では、透過型の電気光学パネル４０を備えた電気光学モジュール１０を例示したが、反射型の電気光学パネル４０を備えた電気光学モジュール１０に本発明を適用してもよい。この場合、第１基板５１が対向基板であり、第２基板５２が素子基板であって、画素電極をアルミニウム等の反射性の金属膜によって形成することになる。
【０１１８】
上記実施の形態では、投射型表示装置として投射像を観察する方向から投射を行う前面投射型表示装置を例示したが、投射像を観察する方向とは反対側から投射を行う背面投射型表示装置に用いる投射型表示装置に本発明を適用してもよい。
【０１１９】
上記実施の形態では、電気光学パネルとして液晶パネルを例に挙げて説明したが、本発明はこれに限定されず、有機エレクトロルミネッセンス表示用パネル、プラズマディスプレイパネル、ＦＥＤ（Field Emission Display）パネル、ＳＥＤ（Surface-Conduction Electron-Emitter Display）パネル、ＬＥＤ（発光ダイオード）表示パネル、電気泳動表示パネル等を用いた電気光学モジュールに本発明を適用してもよい。
【０１２０】
［他の電子機器］
本発明を適用した電気光学モジュールについては、上記の電子機器（投射型表示装置）の他にも、携帯電話機、情報携帯端末（ＰＤＡ：Personal Digital Assistants）、デジタルカメラ、液晶テレビ、カーナビゲーション装置、テレビ電話、ＰＯＳ端末、タッチパネルを備えた機器等の電子機器において直視型表示装置として用いてもよい。
【符号の説明】
【０１２１】
１・・投射型表示装置、１０・・電気光学モジュール、４０・・電気光学パネル（液晶パネル）、４０ａ・・画像表示領域、５１・・第１基板、５２・・第２基板、５６・・第１透光板、５７・・第２透光板、６０・・フレーム、６１・・枠部（第１枠部）、６１ｃ・・第１溝、６１ｄ・・第１溝の開口部、６２・・枠部（第２枠部）、６２ｃ・・第２溝、６２ｄ・・第２溝の開口部、６６・・パネル収容部、７０・・第２板状カバー、７５、８１・・係合板部、７６、８７・・端板部、８０・・第１板状カバー、１９１・・第１通気路、１９２・・第２通気路、４５０・・電気光学物質層（液晶層）、５１１・・第１基板の側面（電気光学パネルの第１側面）５１２・・第１基板の側面（電気光学パネルの第２側面）、６３５ａ、６３５ｂ、６３６ａ、６３６ｂ・・導風用の斜面壁、６５１、６５２、６５３、６５４・・柱状部
【図１】
2013104991.tif 000003
【図２】
2013104991.tif 000004
【図３】
2013104991.tif 000005
【図４】
2013104991.tif 000006
【図５】
2013104991.tif 000007
【図６】
2013104991.tif 000008
【図７】
2013104991.tif 000009
【図１１】
2013104991.tif 000010
【図１４】
2013104991.tif 000011
【図１５】
2013104991.tif 000012
【図８】
2013104991.tif 000013
【図９】
2013104991.tif 000014
【図１０】
2013104991.tif 000015
【図１２】
2013104991.tif 000016
【図１３】
2013104991.tif 000017
【図１６】
2013104991.tif 000018
【図１７】
2013104991.tif 000019